(57)【要約】  入力端子と、出力端子と、隔壁により収容空間が備えられたハウジング本体と、前記ハウジング本体の収容空間内に結合された少なくとも１つの共振棒と、前記ハウジング本体の上部に結合されるハウジング蓋と、を含む無線周波数フィルターであって、前記ハウジング本体及び上記ハウジング蓋をレーザ光線により局部的に加熱するレーザ溶接方式で結合させることを特徴とする無線周波数フィルター。本発明による無線周波数フィルターは、接触非線形性を減少させることにより、受動相互変調歪み（ＰＩＭＤ）を減少させることができ、また、レーザ溶接方式を使用して、溶融による２金属間の共有結合を行うことにより、異種物質間の結合による腐食を抑制することができ、また、締結孔の加工工程及び締結ねじによる締結工程が不必要となり、製造時間及びコストを減少させることにより、生産性を向上させることができる。
2010509881.tif 000002
【特許請求の範囲】
【請求項１】
入力端子と、
出力端子と、
隔壁により収容空間が備えられたハウジング本体と、
前記ハウジング本体の前記収容空間内に結合された少なくとも１つの共振棒と、
前記ハウジング本体の上部に結合されたハウジング蓋と、を含む無線周波数フィルターであって、
前記ハウジング本体及び前記ハウジング蓋を、レーザ光線により局部的に加熱するレーザ溶接方式で結合させることを特徴とする無線周波数フィルター。
【請求項２】
前記無線周波数フィルターは、共振周波数をチューニングするための少なくとも１つのチューニングねじを、追加で含むことを特徴とする請求項１に記載の無線周波数フィルター。
【請求項３】
前記レーザ溶接のレーザ光線が前記ハウジング蓋となす入射角は、０°乃至４５°の範囲内にあることを特徴とする請求項１に記載の無線周波数フィルター。
【請求項４】
前記ハウジング本体と前記ハウジング蓋とを結合した後に、当該境界面をレーザ溶接方式で溶接することを特徴とする請求項１に記載の無線周波数フィルター。
【請求項５】
前記レーザビームの焦点の直径は、２００〜１０００μｍの範囲にあることを特徴とする請求項１に記載の無線周波数フィルター。
【請求項６】
前記ハウジング蓋は、圧延加工されることを特徴とする請求項１に記載の無線周波数フィルター。
【請求項７】
前記ハウジング蓋は、０．１〜４ｍｍの厚さで形成されることを特徴とする請求項１に記載の無線周波数フィルター。
【請求項８】
前記ハウジング本体及び前記ハウジング蓋は、アルミニウム合金で作られることを特徴とする請求項１乃至請求項６のいずれか１項に記載の無線周波数フィルター。
【請求項９】
前記ハウジング蓋は、ＡＬ４０系アルミニウム合金で作られることを特徴とする請求項１乃至請求項６のいずれか１項に記載の無線周波数フィルター。
【請求項１０】
前記ハウジング本体は、ＡＬ４０系アルミニウム合金で作られることを特徴とする請求項１乃至請求項６の中のいずれか１項に記載の無線周波数フィルター。
【請求項１１】
前記ハウジング蓋及び前記ハウジング本体のすべてがＡＬ４０系アルミニウム合金で作られない場合、前記レーザ溶接の際にＡＬ４０系アルミニウム合金の溶接線材を使用することを特徴とする請求項１乃至請求項６のいずれか１項に記載の無線周波数フィルター。
【請求項１２】
前記ハウジング本体又は前記ハウジング蓋の表面が銀メッキされることを特徴とする請求項１に記載の無線周波数フィルター。
【請求項１３】
前記ハウジング蓋の表面が無光沢銀メッキされることを特徴とする請求項１２に記載の無線周波数フィルター。
【請求項１４】
前記チューニングねじを挿入するための少なくとも１つの孔が、前記ハウジング蓋にパンチングによってバーリング形成されるか、又は前記ハウジング蓋の孔に挿入された圧入用ナットに前記チューニングねじが螺合されることを特徴とする請求項６に記載の無線周波数フィルター。
【請求項１５】
前記ハウジング蓋及び前記ハウジング本体には、少なくとも２つの固定孔が形成され、前記固定孔に挿入されるための固定手段を追加で含み、前記ハウジング蓋及び前記ハウジング本体のレーザ溶接の前に、前記固定手段が前記固定孔に挿入されることにより相互に固定されることを特徴とする請求項１に記載の無線周波数フィルター。
【請求項１６】
前記チューニングねじは、前記ハウジング本体の背面で締結されることを特徴とする請求項２に記載の無線周波数フィルター。
【発明の詳細な説明】
【技術分野】
【０００１】
本発明は、無線周波数フィルターに関し、特に、相互にレーザ溶接されたハウジング本体及びハウジング蓋を有する無線周波数フィルターに関する。
【背景技術】
【０００２】
レーザ溶接方式を用いることで、無線周波数フィルターの接触非線形性（Contact Nonlinearity）及び受動相互変調歪み（Passive Inter Modulation Distortion：以下、“ＰＩＭＤ”と称する。）を減少させることができる。
【０００３】
一般的に、移動通信サービスは、データ容量の増大及び通話品質の改善が必要であり、したがって、入力損失（Input Loss：Ｉ／Ｌ）、減衰（Attenuation）、及び相互変調歪み（Inter Modulation Distortion：以下、“ＩＭＤ”と称する。）を減少させることが非常に重要である。
【０００４】
ここで、相互に異なる周波数を有する少なくとも２つの信号が相互に干渉し、所望しない寄生信号が発生する現象であるＩＭＤを解決することが非常に重要な問題である。
【０００５】
一方、非線形送信特性のために、入力信号の和、及び差の周波数成分が電子装置の出力信号に現れる現象は、干渉を引き起こす原因となり、このような現象が受動素子で発生する場合をＰＩＭＤと呼ぶ。
【０００６】
特に、任意の周波数帯域内で発生するＰＩＭＤは、フィルタリングにより除去することができないために、その発生の原因を除去するための研究が進んでいる。
【０００７】
従来では、ＰＩＭＤは、衛星通信システムのような高電力通信システムの分野でのみ主な問題として考慮され、商用通信システムにおいては、ほとんど無視されてきた。
【０００８】
しかしながら、移動通信サービスの拡張により、加入者の数が増加し、これにより、送信電力がさらに大きくなり、移動通信の分野においてもＰＩＭＤの減少のための努力が進んでいる。
【発明の概要】
【発明が解決しようとする課題】
【０００９】
したがって、本発明は、上述した従来技術の問題点を解決するために提案されたものであり、その目的は、ハウジング本体及びハウジング蓋がレーザ溶接方式で接合されているので、接触非線形性を減少させることによりＰＩＭＤを減少させることができる無線周波数フィルターを提供することにある。
【００１０】
本発明の他の目的は、ハウジング本体及びハウジング蓋が、レーザ溶接方式を使用して、溶融による金属間の共有結合を行うようにすることにより、異種金属間の接触により発生する腐食を抑制させることができる無線周波数フィルターを提供することにある。
【００１１】
本発明のさらなる目的は、ハウジング本体及びハウジング蓋が、レーザ溶接方式を使用して溶接されることにより、締結孔の加工工程及び締結ねじによる締結工程が不必要となり、製造時間及びコストを減少させることにより、生産性を向上させることができる無線周波数フィルターを提供することにある。
【００１２】
本発明のさらに他の目的は、ＡＬ４０系アルミニウム合金を使用することにより、従来のレーザ溶接方式では無線周波数フィルターを製造することができないという問題点を解決することにある。
【課題を解決するための手段】
【００１３】
上記のような目的を達成するために、本発明の実施形態によれば、入力端子と、出力端子と、隔壁により収容空間が備えられたハウジング本体と、上記ハウジング本体の収容空間内に結合された少なくとも１つの共振棒と、上記ハウジング本体の上部に結合されるハウジング蓋と、を含む無線周波数フィルターは、上記ハウジング本体及び上記ハウジング蓋をレーザ光線により局部的に加熱するレーザ溶接方式で結合されることを特徴とする。
【００１４】
本発明の他の実施形態によれば、上記無線周波数フィルターは、共振周波数をチューニングするための少なくとも１つのチューニングねじを追加で含むことを特徴とする。
【００１５】
本発明の更に他の実施形態によれば、好ましくは、上記レーザ溶接のレーザ光線が上記ハウジング蓋となす入射角は、０°乃至４５°の範囲内にある。
【００１６】
本発明の更に他の実施形態によれば、好ましくは、上記ハウジング本体と上記ハウジング蓋とを結合した後に、その境界面をレーザ溶接方式で溶接する。
【００１７】
本発明の更に他の実施形態によれば、好ましくは、上記レーザ光線の焦点の直径は、約２００〜１０００μｍの範囲にある。
【００１８】
本発明の更に他の実施形態によれば、好ましくは、上記ハウジング蓋は圧延加工される。
【００１９】
本発明の更に他の実施形態によれば、上記ハウジング蓋は、０．１〜４ｍｍの厚さで形成されることを特徴とする。
【００２０】
本発明の更に他の実施形態によれば、好ましくは、上記ハウジング本体及び上記ハウジング蓋は、アルミニウム合金で作られる。
【００２１】
本発明の更に他の実施形態によれば、好ましくは、上記ハウジング蓋は、ＡＬ４０系アルミニウム合金で作られる。
【００２２】
本発明の更に他の実施形態によれば、好ましくは、上記ハウジング本体は、ＡＬ４０系アルミニウム合金で作られる。
【００２３】
本発明の更に他の実施形態によれば、上記ハウジング蓋及び上記ハウジング本体のすべてがＡＬ４０系アルミニウム合金で作られない場合には、上記レーザ溶接の際にＡＬ４０系アルミニウム合金の溶接線材を使用することを特徴とする。
【００２４】
本発明の更に他の実施形態によれば、好ましくは、上記ハウジング本体又は上記ハウジング蓋の表面は銀メッキされる。
【００２５】
本発明の更に他の実施形態によれば、上記ハウジング蓋の表面が無光沢銀メッキされることを特徴とする。
【００２６】
本発明の更に他の実施形態によれば、上記チューニングねじを挿入するための少なくとも１つの孔は、上記ハウジング蓋にパンチングによってバーリング形成されるか、又は上記ハウジング蓋の孔に挿入された圧入用ナットに、上記チューニングねじが螺合されることを特徴とする。
【００２７】
本発明の更に他の実施形態によれば、上記ハウジング蓋及び上記ハウジング本体には、少なくとも２つの固定孔が形成され、上記固定孔に挿入されるための固定手段を追加で含み、上記ハウジング蓋及び上記ハウジング本体のレーザ溶接の前に、上記固定手段が上記固定孔に挿入されることにより相互に固定されることを特徴とする。
【００２８】
本発明の更に他の実施形態によれば、上記チューニングねじは、上記ハウジング本体の背面で締結されることを特徴とする。
【発明の効果】
【００２９】
本発明による無線周波数フィルターは、ハウジング本体及びハウジング蓋がレーザ溶接方式で接合されているので、接触非線形性を減少させることができ、従ってＰＩＭＤを減少させることができる。
【００３０】
また、本発明による無線周波数フィルターは、ハウジング蓋がＡＬ４０系アルミニウムで形成されるためにレーザ溶接が容易であり、ハウジング蓋の外面が銀メッキされるためにレーザ溶接の際にレーザ光線の反射率を減少させることができ、従ってＰＩＭＤを減少させることができる。
【００３１】
さらに、本発明による無線周波数フィルターは、レーザ溶接方式を使用して、溶融による金属間の共有結合を行うことにより、異種金属間の接触により発生する腐食を抑制することができる。
【００３２】
さらにまた、本発明による無線周波数フィルターは、ハウジング本体及びハウジング蓋がレーザ溶接方式を使用して接合されることにより、締結孔の穴あけ加工及び締結ねじによる締結工程が不必要となるので、製造工程時間及びコストを低減させることができる。
【００３３】
なお、本発明による無線周波数フィルターは、ハウジング蓋上で溶接される部位にレーザ光線を照射させることにより、製造工程を簡素化し、生産性を向上させることができる。
【図面の簡単な説明】
【００３４】
【図１】従来技術による無線周波数フィルターの分解斜視図である。
【図２】図１のラインＡ-Ａ’に沿った無線周波数フィルターの断面図である。
【図３】本発明による無線周波数フィルターの分解斜視図である。
【図４】本発明による無線周波数フィルターの結合斜視図である。
【図５】図３のラインＡ-Ａ’に沿った無線周波数フィルターの断面図である。
【図６】ハウジング蓋に形成されたバーリングに螺合されたチューニングねじを示す断面図である。
【図７】ハウジング蓋に挿入されるナットにチューニングねじが螺合された形態の断面図である。
【図８】共振棒とハウジングとが、一体で形成された形態の断面図である。
【発明を実施するための形態】
【００３５】
以下、従来の無線周波数フィルターを添付の図面を参照して詳細に説明する。
【００３６】
図１は、従来技術による無線周波数フィルターの分解斜視図であり、図２は、図１のラインＡ-Ａ’に沿った無線周波数フィルターの断面図である。
【００３７】
図１及び図２を参照すると、従来の無線周波数フィルターは、隔壁１３０により分割された空間に配設された複数の共振棒１２０と、高周波信号を受信し、これを第１の共振棒１２０に供給する入力端子１１０と、共振棒１２０によりフィルタリングされた高周波信号を出力する出力端子１４０とを有するハウジング本体１００と、隔壁１３０の隙間及び共振棒１２０の内部まで延在する、周波数をチューニングするチューニングねじ２1０と、締結ねじ２２０によりハウジング本体１００を密閉するハウジング蓋２００と、を備える。
【００３８】
以下、従来の無線周波数フィルターの構成及び問題点を詳細に説明する。
【００３９】
まず、ハウジング本体１００は、一般的にアルミニウム合金材で作られ、その内部には、隔壁１３０が設けられて収容空間を規定する。一般的に、隔壁１３０及びハウジング本体１００は、一体で製造される。
【００４０】
ここで、共振棒１２０は、隔壁１３０により規定された収容空間の内部に締結される。
【００４１】
図２を参照すると、溝が共振棒１２０の上部に形成され、ハウジング本体１００及びハウジング蓋２００が締結された後に、チューニングねじ２1０は、その溝に遊挿される。
【００４２】
共振棒１２０は、ハウジング本体１００の底面に共振棒固定ねじ１６０により締結される。
【００４３】
したがって、ハウジング本体１００及び共振棒１２０は、共振棒固定ねじ１６０を介して締結されるために、微視的にはハウジング本体１００と共振棒１２０との間には、不完全な状態で結合される接触非線形性（contact nonlinearity）区間が存在する。
【００４４】
ここで、この接触非線形性は、材料非線形性（material nonlinearity）とともにＰＩＭＤ発生の主な原因となる。
【００４５】
また、ハウジング本体１００の上面及び隔壁１３０の上部には、複数の締結孔１５０が設けられている。これら締結孔１５０は、一体で成形又は加工されたハウジング本体１００及び隔壁１３０を加工することにより形成される。
【００４６】
ハウジング蓋２００は、ハウジング本体１００の締結孔１５０に螺合される締結ねじ２２０により、ハウジング本体１００に結合される。
【００４７】
一方、複数の締結孔１５０及び締結孔１５０に螺合された締結ねじ２２０を使用する理由は、ハウジング本体１００とハウジング蓋２００間との気密度を最大化することにより、信号損失及びＰＩＭＤの発生を防止するためである。
【００４８】
しかしながら、上述したように、複数の締結ねじ２２０による締結は、巨視的には、ハウジング蓋２００とハウジング本体１００との間に締結ねじ２２０が位置する部分での点接触であり、締結ねじ２２０が位置しない部分では、その気密度が低下する。
【００４９】
このような締結状態のため、ハウジング蓋２００とハウジング本体１００との間でも接触非線形性によるＰＩＭＤが発生する。
【００５０】
また、ハウジング本体１００、隔壁１３０、共振棒１２０、及びハウジング蓋２００は、並列ＬＣ共振回路を構成し、入力端子１１０を介して入力された高周波信号により銅線（図示せず）に電流が流れ、その電流によって磁界エネルギーが発生する。
【００５１】
この磁界エネルギーは、ハウジング本体１００、隔壁１３０、共振棒１２０、及びハウジング蓋２００で構成される並列ＬＣ共振回路に送信され、この共振回路の共振周波数に対応する周波数エネルギーだけを次の共振回路に送信する過程を繰り返して、出力端子１４０を介して所望の周波数の信号だけを出力する。
【００５２】
この際、この共振周波数に対応しない他の周波数はアースされる。
【００５３】
チューニングねじ２1０を調節することにより、この共振周波数を変調できる。
【００５４】
このように、従来の無線周波数フィルターにおいては、ハウジング本体１００及びハウジング蓋２００を複数の締結ねじ２２０を使用して結合しているために、ハウジング本体とハウジング蓋との間の接触非線形性がＰＩＭＤを引き起こすという問題点があった。
【００５５】
そして、このハウジング本体及びハウジング蓋は、アルミニウム合金材で作られ、締結ねじは、ステンレス製で作られ、異種金属であるために、異種金属間の接触による腐食が発生し得る問題点もあった。
【００５６】
また、複数の締結孔を形成するための工程及び複数の締結ねじを用いる締結工程を必要とするために、製造に多くの時間を必要とし、製造工程が複雑になり、製造費用が増加し、生産性が低下するという問題点もあった。
【００５７】
一方、アルミニウム合金材の場合、レーザ溶接の際にレーザビームがアルミニウム合金の表面で反射する比率が高く、レーザ溶接が完了した後に溶接部位に亀裂（crack）が発生する問題点があり、これにより、アルミニウム合金材は、一般的にレーザ溶接の対象物としては使用されない。
【００５８】
したがって、従来の無線周波数フィルターは、アルミニウム合金材で作られており、レーザ溶接方式は、アルミニウム合金材の無線周波数フィルターのハウジング本体及びハウジング蓋を結合するのに適切でないと認識されてきた。
【００５９】
以下、本発明の望ましい実施形態を添付の図面を参照して詳細に説明する。
【００６０】
図３は、本発明による無線周波数フィルターの分解斜視図であり、図４は、本発明による無線周波数フィルターの結合斜視図であり、図５は、図３のラインＡ-Ａ’に沿った無線周波数フィルターの断面図である。
【００６１】
図６は、ハウジング蓋に形成されたバーリングに螺合されたチューニングねじを示す断面図であり、図７は、ハウジング蓋に形成された孔に圧入用ナットを挿入する構成を示す断面図である。
【００６２】
図８は、共振棒とハウジング本体とが、一体で形成された形態の断面図である。
【００６３】
本発明による無線周波数フィルターは、入力端子２０と出力端子３０と隔壁４０により分割された複数の収容空間とを含むハウジング本体１０と、ハウジング本体１０の収容空間内に結合される共振棒５０と、ハウジング本体１０の上部に結合されるハウジング蓋６０とを含み、ハウジング本体１０及びハウジング蓋６０をレーザ溶接方式で相互に接合させる。
【００６４】
一般的に、無線周波数フィルターにおいて、ハウジング本体１０及びハウジング蓋６０は、複数の締結ねじにより相互に結合される。しかしながら、本発明において、ハウジング本体１０及びハウジング蓋６０は、レーザビームを使用して局部的に加熱するレーザ溶接方式で接合される。
【００６５】
図３及び図４に示すように、ハウジング本体１０上にハウジング蓋６０を結合させた後に、ハウジング蓋６０の上面に対して０°乃至４５°の入射角ａをなすようにレーザビームを入射してレーザ溶接を行う。
【００６６】
このようなレーザ溶接方式を使用すると、この無線周波数フィルターは、ハウジング蓋６０とハウジング本体１０の内部に設けられた隔壁４０とが結合される部位もこのレーザ溶接方式で接合することができる。
【００６７】
また、ハウジング蓋６０の上面に対して５°乃至1０°の入射角（ａ）でレーザビームを照射させる理由は、ハウジング蓋６０から反射されたレーザビームにより、レーザ溶接器９０を損傷させないためである。
【００６８】
ここで、ハウジング本体１０とハウジング蓋６０とを結合させるために、ハウジング本体１０及びハウジング蓋６０は、２つ以上の固定孔１１、６１が形成され、固定手段１２は、固定孔１１、６１に挿入され得る。
【００６９】
また、レーザ溶接が完了した後に、固定手段１２は、固定孔１１、６１から除去され得る。
【００７０】
固定手段１２は、レーザ溶接をする前に、ハウジング本体１０及びハウジング蓋６０を一時固定するための手段であり、様々な種類の固定手段の使用が可能である。
【００７１】
例えば、ネジ又は固定ピンを、固定手段１２として使用することができる。
【００７２】
また、固定孔１１、６１を、様々な位置及び個数で設けることができる。
【００７３】
図３に示すように、２つの固定孔１１、６１は、ハウジング本体１０及びハウジング蓋６０の対角の角部に設けられることが望ましい。
【００７４】
固定手段１２は、固定孔１１、６１の個数に対応して設けることができる。
【００７５】
固定手段１２及び固定孔１１、６１は、レーザ溶接をする前に、ハウジング本体１０及びハウジング蓋６０を一時固定するための手段である。
【００７６】
したがって、通常、冶具が固定のために使用される場合、固定手段１２及び固定孔１１、６１は、形成されなくても良い。
【００７７】
一方、ハウジング本体１０及びハウジング蓋６０を結合させた後に、この２つの境界面をレーザ溶接してもよい。
【００７８】
この境界面のレーザ溶接を行うことにより、ハウジング本体１０とハウジング蓋６０との間の気密性を保持することができ、接触非線形性及びＰＩＭＤを減少させることができる。
【００７９】
また、ハウジング本体１０及びハウジング蓋６０をレーザビームにより加熱すると、２金属の接合地点９５は溶融する。
【００８０】
これにより、図５に示すように、２つの金属粒子間の共有結合が発生し、異種金属間の接触による腐食を防止することができる。
【００８１】
上記無線周波数フィルターは、製品のサイズに従って様々な個数の接合地点９５を有してレーザ溶接されることができる。
【００８２】
すなわち、上記無線周波数フィルターは、一定の間隔でスポットの形態で溶接されることもあり、この間隔を狭くすることにより、シーム（seam）の形態で溶接されることもある。
【００８３】
また、このレーザ溶接のためのレーザビームの焦点の直径は、約２００μｍ乃至１０００μｍで形成されることができる。
【００８４】
レーザビームの焦点の直径が小さすぎると、対象材質が切断されることがあり、レーザビームの焦点の直径が大きすぎると、対象材質がレーザ溶接されない場合がある。
【００８５】
一方、ハウジング本体１０及びハウジング蓋６０は、一般的にアルミニウム（ＡＬ）系材質で作られ、ハウジング本体１０及びハウジング蓋６０は、ＡＬ４０系アルミニウム合金で作られることもある。
【００８６】
したがって、ハウジング本体１０及びハウジング蓋６０のレーザ溶接を行う場合、ＡＬ４０系列及びＡＬ４０系列間の接合、又はＡＬ４０系列及びＡＬ４０系列外の合金間の接合がなされることもある。
【００８７】
しかしながら、ハウジング本体１０及びハウジング蓋６０のいずれもＡＬ４０系アルミニウム合金でない場合、溶接線材（ＡＬ４０系合金）を使用してＣＬＡＤ方式で接合することができる。
【００８８】
したがって、電子波の高い伝播特性を有する溶接線材を使用して、ＰＩＭＤの発生を最小にすることができる。
【００８９】
一方、本発明による無線周波数フィルターにおいて、周波数送信の特性を向上させるために、ハウジング本体１０又はハウジング蓋６０の表面は、銀メッキされることができる。
【００９０】
また、ハウジング本体１０又はハウジング蓋６０の表面が銀メッキされる場合には、光沢銀メッキされてもよい。
【００９１】
ハウジング本体１０の表面が光沢銀メッキされる場合には、ハウジング蓋６０は、光沢銀メッキより反射率が低い無光沢銀メッキされてもよい。
【００９２】
しかしながら、レーザ溶接の際に、ハウジング蓋６０に照射されるレーザビームの反射率を低下させるために、レーザビームが照射されるハウジング蓋６０の部分にレーザビームを吸収させるための部材が追加されると、ハウジング蓋６０の表面に光沢銀メッキされてもよい。
【００９３】
このレーザビームを吸収させるための部材として、例えば、レーザ溶接の前に、レーザビームに対する反射率が低い金属材質を、このレーザビームが照射されるハウジング蓋６０の部分に取り付けた後に、レーザビームを照射することができる。
【００９４】
あるいは、ハウジング蓋６０のレーザビームが溶接される部位は、銀メッキされないようにマスキングする方法が使用されてもよい。
【００９５】
したがって、本発明による無線周波数フィルターは、ハウジング本体１０及びハウジング蓋６０の外面を銀メッキでコーティングすることにより、周波数送信特性を向上させると同時に、より優れた外観を形成することができる。
【００９６】
ハウジング蓋６０は、様々な厚さで作ってもよく、約０．１ｍｍ乃至４ｍｍの厚さで作られることが好ましい。
【００９７】
その理由は、ハウジング蓋６０の厚さが０．１ｍｍ以下で形成される場合、荷重による変形の恐れがあるだけでなく、薄い厚さのハウジング蓋にねじ山を加工することが難しく、これにより、チューニングねじ７０の締結が難しくなるためである。
【００９８】
また、ハウジング蓋６０の厚さが４ｍｍ以上で形成される場合に、その厚さのためにレーザ溶接が難しく、１０％以上のケイ素（Ｓｉ）を含むＡＬ４０系アルミニウム合金を圧延加工することが難しいという問題点がある。
【００９９】
ハウジング蓋６０を圧延加工することにより、ＡＬ４０系アルミニウム合金の特性を保持しつつ、ハウジング蓋６０を形成することが可能である。
【０１００】
ここで、“約”とは、正確に０．１ｍｍ乃至４ｍｍである必要はなく、必要に応じて、０．１ｍｍ乃至４ｍｍの近似範囲も可能であることを意味する。
【０１０１】
図５に示すように、チューニングねじ７０は、ハウジング蓋６０に挿入され締結される。
【０１０２】
ハウジング蓋６０には、チューニングねじ７０を挿入して固定するための孔が形成され得り、これら孔は、パンチングにより形成され得る。
【０１０３】
また、ハウジング蓋６０がチューニングねじ７０を締結するのに薄すぎる場合、図６に示すように、この孔がパンチングによってバーリング（Burring）１３を形成し、バーリング１３の内部にねじ山を形成することにより、チューニングねじ７０の締結を容易にし、あるいは、図７に示すように、圧入用ナット１４が、チューニングねじ７０を螺合することができるようにこの孔に挿入されてもよい。
【０１０４】
図８に示すように、チューニングねじ７０は、ハウジング本体１０の背面で締結されてもよい。
【０１０５】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと同等な範囲内で定められるべきである。
【符号の説明】
【０１０６】
１０、１００  ハウジング本体
１１  固定孔
１２  固定手段
１３  バーリング
１４  圧入ナット
２０、１１０  入力端子
５０、１２０  共振棒
４０、１３０  隔壁
３０、１４０  出力端子
１５０  締結孔
１６０  共振棒固定ねじ
６０、２００  ハウジング蓋
６１  固定孔
７０、２１０  チューニングねじ
２２０  締結ねじ
９０  レーザ溶接器
９５  接合地点
【図１】
2010509881.tif 000003
【図２】
2010509881.tif 000004
【図３】
2010509881.tif 000005
【図４】
2010509881.tif 000006
【図５】
2010509881.tif 000007
【図６】
2010509881.tif 000008
【図７】
2010509881.tif 000009
【図８】
2010509881.tif 000010
【国際調査報告】
2010509881.tif 000011
2010509881.tif 000012